(57)【特許請求の範囲】
【請求項１】
少なくとも、
第１の貫通孔を有し、長さを拡張するため、対応する挿入突起および挿入溝を有する横方向拡張部材が拡張結合される棚板と、
第２の貫通孔を有し、前記棚板と共にフレームユニットとして組み立てられる縦板と、
少なくとも１つの第３の貫通孔と、前記縦板の両側にそれぞれまたがる２つの第１の結合部とを有し、前記棚板とそれに対応する前記縦板との間に跨設される拡張ユニットと、
フレームユニットのいずれかにおける複数の拡張ユニットの間に設けられ、前記第１の結合部のそれぞれに結合される第２の結合部を有する補強板と、
前記第１の貫通孔、第２の貫通孔および第３の貫通孔を貫通させ、前記棚板、縦板および拡張ユニットのそれぞれを直列接続し固定するための直列接続ユニットと、
を備えることを特徴とする組み立てラックの組み立て素子アセンブリ。
【請求項２】
前記拡張ユニットに結合されるための連結素子をさらに備えており、前記連結素子は、前記補強板が上方開閉式の可動扉または下方開閉式の可動扉となるように、前記補強板が横向きに組み立てられるための横向きのロック孔を有していることを特徴とする請求項１に記載の組み立てラックの組み立て素子アセンブリ。
【請求項３】
前記第１の結合部は大ねじ孔であり、前記第２の結合部は小ねじ孔であり、ボルトが前記大ねじ孔を穿通して前記小ねじ孔に螺合され、又は、底部に回転軸を有するボルトが大ねじ孔に結合されることによって前記回転軸が前記小ねじ孔に対応して軸接されることを特徴とする請求項１に記載の組み立てラックの組み立て素子アセンブリ。
【請求項４】
２つの前記棚板、２つの前記縦板、４つの前記拡張ユニットおよび少なくとも２つの前記直列接続ユニットは、１つのフレームユニットとして組み立てられ、前記フレームユニットには、格子状の複数の仕切りに仕切られるように対応する嵌合ラックが組み込まれていることを特徴とする請求項１に記載の組み立てラックの組み立て素子アセンブリ。
【請求項５】
前記嵌合ラックは、複数の仕切り板からなり、各前記仕切り板のそれぞれには平行に配列される嵌合部が複数設けられ、前記嵌合部が相互に垂直に嵌合されて格子状となり、前記仕切り板の両端には係合溝および対応する係合部のいずれか一つが設けられることにより前記嵌合ラックが他の嵌合ラックに組み合わされ、前記嵌合ラックの外縁には、前記嵌合ラックが滑り止め作用によりフレームユニットに安定的に設けられるための滑り止め部材が複数設けられていることを特徴とする請求項４に記載の組み立てラックの組み立て素子アセンブリ。
【請求項６】
前記縦板の第２の貫通孔の２つの対向側に第１の位置決め部が設けられ、前記直列接続ユニットの外側に前記第１の位置決め部に対応する第２の位置きめ部が設けられ、前記直列接続ユニットの両端にそれぞれ結合素子に結合されるための第３の結合部が設けられることを特徴とする請求項１に記載の組み立てラックの組み立て素子アセンブリ。
【請求項７】
前記横方向拡張部材は、光透過可能の材料からなり、その内側表面が反射面として形成されることにより、光源が前記棚板の上、下へ反射されることを特徴とする請求項１に記載の組み立てラックの組み立て素子アセンブリ。
【発明の詳細な説明】
【技術分野】
【０００１】
本発明は、組み立てラックの素子設計に関し、特に、組み立てラックの組み立て素子アセンブリに関する。
【背景技術】
【０００２】
図１は、現在よく知られる収納またはディスプレイとして用いられる組み立てラック１を模式的に示したものである。この組み立てラック１では、一つのフレームユニットまたは複数のフレームユニットが複数の棚板１１および縦板１３により構成され、それらの縦板１３の表面を貫通するねじ１３１が対応する棚板１１の両端に螺合されることにより、それらの棚板１１および縦板１３が固定されるようになっている。縦板１３の内面には、棚受けダボ１３５を挿着するための並列する複数の嵌挿孔１３３が設けられ、複数の棚受けダボ１３５が対称に設けられることにより、例えばガラス板、木板等の仕切り板１５が載置されるための支持面が形成されるようになっている。また、強度を増強させ組み立てラック１のねじれや変形を回避するために、裏面に交差配置された固定バー１７が設けられており、少なくとも１つのフレームユニットの対角線の相対的な長さを制限するようになっている。
【０００３】
前記のように、従来の組み立てラック１では、主にねじ１３１によって棚板１１と縦板１３とが結合され垂直に固定され、すなわち棚板１１および仕切り板１５のそれぞれの負荷を複数のねじ１３１に積載しているため、ねじ１３１または螺合箇所に変形が生じてゆるみ、しかも脱着の繰り返しにより棚板１１が対応する螺合箇所において磨耗しやすくなり、結合箇所のゆるみによる不安定現象が生じている。
【０００４】
また、前記の組み立てラック１に使用される棚板１１および縦板１３は、いずれも特定の幅のアルミニウム押出型（Ａｌｕｍｉｎｕｍ  Ｅｘｔｒｕｓｉｏｎ  Ｍｏｌｄｉｎｇ）、繊維強化プラスチック（ＦＲＰ、Ｆｉｂｅｒ  Ｒｅｉｎｆｏｒｃｅｄ  Ｐｌａｓｔｉｃｓ）押出または共押出型材であり、規格品として形成されるのが通常であるため、組み立てラック１の幅、高さまたは外形全体を調整（または増加）する場合、適当な規格幅の新たな棚板１１および縦板１３を別途に複数購入して組み合わせる必要があることから、資源の浪費が極めて大きくなり、環境保護の精神に反している。さらに、全体構造の強度を固定バー１７で向上させることが、組み立てラック１の全体の質感に影響を及ぼしているため、製品の美観を損なわせている。
【０００５】
特許文献１には組み立てラックの改良構造が提案されており、この構造は、対称の支持フレームおよび対称の管支持フレームから構成され、その管支持フレームの上、下横管の内部にスクリューバーが穿設され、スクリューバーの両端と上、下横管の両端との間隙にブッシングが嵌設され、スクリューバーの両端のねじ山部分が、対応する支持フレームの穿通孔に穿設され、そして特殊なナットに合わせて螺着させてなるものである。この構造では、管支持フレームの設置により組み立てラックの構造全体の強度や美観性が向上しているが、幅の変更や拡張の場合に再利用できないことがあった。
【０００６】
また、特許文献２には可動式の組み立てラック構造が提案されており、この構造は、複数の管継手および管体により構成されている。その管継手は、球体、連結スリーブ、塞ぎ体、ガスケットおよびねじにより構成され、該球体の一端に連結スリーブと螺着されるねじ孔が設けられ、該連結スリーブの中央に嵌め孔が設けられ、サイズが該嵌め孔と正比例する塞ぎ体が嵌め孔内部に組み込まれ、該塞ぎ体の中央には貫通孔が設けられている。該管体は、その一側に連結スリーブが管体にロックされるようにスパナでねじを調整するための孔部が設けられている。この構造は、管継手の変更により多方向へ無限に拡張延長できるが、使用中の組み立てラックの拡張のニーズに対しては、所要の形式の管継手に交換する必要があるため、幅の拡張の必要がある場合に組み立て素子を再利用できないこともあった。また、球体と管体との組み立て形式では、安定した結合強度が提供できないため、軽荷重の物置場所（例えば服飾陳列用の展示ラック）にのみ適用され、一般の荷重（例えば家電ラック）ないし重荷重の物置場所に適用されることができない。
【特許文献１】台湾実用新案第Ｍ２４８３１６号
【特許文献２】台湾実用新案第Ｍ２５４１４５号
【発明の開示】
【発明が解決しようとする課題】
【０００７】
したがって、従来の組み立てラックのような、拡張ができない、構造の強度が悪い、荷重タイプが限られる、組み立て形態が限られる、組み立て素子が再利用できない、外観に全体性がないといった欠点を解決するために、組み立てラックの組み立て素子アセンブリの開発は、解決すべき極めて重要な課題である。
【０００８】
そこで、以上のとおりの事情に鑑み、本発明は、組み立てラックを自由に拡張できる機能を有する組み立てラックの組み立て素子アセンブリを提供することを課題とする。
【０００９】
また、本発明は、組み立てラックの構造強度を向上する組み立てラックの組み立て素子アセンブリを提供することを課題とする。
【００１０】
また、本発明は、各種の荷重タイプの応用に対応できる組み立てラックの組み立て素子アセンブリを提供することを課題とする。
【００１１】
また、本発明は、組み立てラックの変更タイプを増やす組み立てラックの組み立て素子アセンブリを提供することを課題とする。
【００１２】
また、本発明は、環境保護の要求に応えられるように、また組み立てられた組み立てラックが外観の全体性を具えるように、同一規格の組み立て素子を重複利用する組み立てラックの組み立て素子アセンブリを提供することを課題とする。
【課題を解決するための手段】
【００１３】
上記の課題を解決するために、本発明に係る組み立てラックの組み立て素子アセンブリは、少なくとも
第１の貫通孔を有する棚板と、
第２の貫通孔を有し、該棚板と共にフレームユニットを形成する縦板と、
少なくとも１つの第３の貫通孔と、該縦板の両側にそれぞれまたがる２つの第１の結合部とを有し、該棚板とそれに対応する該縦板との間に跨設される拡張ユニットと、
第１の結合部のそれぞれに結合される第２の結合部を有し、フレームユニットのいずれかにおける複数の拡張ユニットの間に設けられる補強板と、
該第１の貫通孔、第２の貫通孔および第３の貫通孔を貫通させ、各棚板、縦板および拡張ユニットを直列接続し固定するための直列接続ユニットと、
を備えている。
【００１４】
前記拡張ユニットは、２つの第１の結合部と、および１つまたは複数の、互いに間隔をおいて２つの第１の結合部の間に設けられている第３の貫通孔とを有してもよい。好ましくは、第１の結合部は大ねじ孔であり、第２の結合部は小ねじ孔であり、ボルトが該大ねじ孔を穿通して該小ねじ孔に螺合されるようにする。また、第１の結合部は大ねじ孔であり、第２の結合部は小ねじ孔であり、底部に回転軸を有するボルトが大ねじ孔に結合されることにより、該回転軸が小ねじ孔に対応して軸接されてもよい。拡張ユニットの底部には、縦板に跨設されるための凹溝が設けられてよい。直列接続ユニットの両端にはそれぞれ１つの結合素子に結合されるための第３の結合部が設けられており、該第３の結合部はねじ孔であり、該結合素子はボルトであってよい。また、該結合素子のヘッドには、対応するめねじを有するキャップに螺合されるためのおねじが設けられてもよい。更に、直列接続ユニットの底段にはめねじを有するスタンドに結合されるためのおねじが設けられてもよい。
【００１５】
縦板は、第２の貫通孔に対応する少なくとも一側に第１の位置決め部が設けられ、直列接続ユニットの外側には該第１の位置決め部に対応する第２の位置決め部が設けられ、好ましくは、該第１の位置決め部がリブであり、該第２の位置決め部が凹溝である。また、縦板には、例えば滑り止めパッドなどの滑り止め部材が挿設されるための少なくとも１つの嵌挿孔がさらに設けられてもよい。
【００１６】
棚板は、少なくとも一つの底部に向けて開放され照明器具が収容されるための凹部が設けられ、凹部の底縁には透明窓板が挿設されるための嵌挿溝が設けられては好ましい。また、棚板の外部には直列接続ユニットが貫通するための第４の貫通孔を有するハウジングフレームが結合されてよい。
【００１７】
直列接続ユニットは、外側には該第１の位置決め部に対応する第２の位置決め部が設けられ、両端には例えばねじ孔である第３の結合部が設けられてよい。この直列接続ユニットは柱状構造であって好ましく、外表面に等間隔をおいて複数の第２の位置決め部が設けられ、該直列接続ユニットの第２の位置決め部が順次に該縦板の第２の貫通孔の第１の位置決め部と、該拡張ユニットの第３の貫通孔の第３の位置決め部と、該棚板の第１の貫通孔とを貫通させた後、さらに結合素子が両端にある第３の結合部に結合されることにより、該直列接続ユニットによって直列接続された棚板、縦板および拡張ユニットのそれぞれが相互に緊密に挟持固定され位置決めされるようにしてはよい。
【００１８】
補強板は、フレームユニットを構成する４つの拡張ユニットの間に設けられ、第１の結合部のそれぞれに相互に結合される第２の結合部を有してよい。この補強板は、両側にエッジフレームが結合され、該エッジフレームは、上、下両端にそれぞれ第二の結合部が設けられて好ましい。同時に、該補強板は、組み立てられた組み立てラックの裏面のみならず、可動扉の使用状態を形成するように組み立てラックの正面にも取り付け可能である。
【発明を実施するための最良の形態】
【００１９】
以下、この技芸に習熟した者が簡単に本発明に係る技術特徴および効果を理解できるように、本発明の具体的な実施形態を図面にしたがって詳しく説明する。
【００２０】
図２Ａは、本発明に係る組み立てラックの組み立て素子アセンブリの構造を模式的に示した図である。本発明に係る組み立てラックの組み立て素子アセンブリは、少なくとも、棚板２（２ａ）、縦板３、拡張ユニット４、補強板５および直列接続ユニット６を備えている。対称的な数量の棚板２および縦板３により１つのフレームユニットまたは複数のフレームユニットが構成され、直列接続ユニット６は、棚板２（２ａ）および縦板３のそれぞれを直列接続し固定するものであり、拡張ユニット４は、少なくとも１つのフレームユニットの縦板３の上、下端の棚板２に対応する箇所に設けられ、裏面に少なくとも１つの補強板５が結合され、または組み立てラックの自由拡張機能が提供されるものである。
【００２１】
図２Ａおよび図２Ｂに示すように、前記の組み立て素子により、図２Ｂに示すような単一フレームユニットの組み立てラックを形成する場合には、２つの棚板２（２ａ）、２つの縦板３、２つの直列接続ユニット６、４つの拡張ユニット４および２つの補強板５が用いられている。
【００２２】
棚板２は、金属押出型、繊維強化プラスチック押出または共押出型材により一体成形化することが可能であり、板状構造または中空のフレーム形構造となっている。棚板２の表面には直列接続ユニット６が貫通するための第１の貫通孔２１が２つ設けられ、例えば棚板２の表面の両側寄りにそれぞれ形成され、棚板２の底部の前後側には突出した棚脚２２が設けられている。また、該棚板２は、通常、組み立てラックを組み立てるための地板、仕切り板または天板に用いられるが、さらに実際の必要に応じて構造が簡素化された棚板２ａに細分化してもよく、すなわち該棚脚２２を省略することが可能であり、また、ガラス、石材、セメントまたは木材などの材質からなる板体から選択されてもよい。
【００２３】
縦板３は、金属押出型、繊維強化プラスチック押出または共押出型材により一体成形化することが可能であり、中空のフレーム形構造となっており、直列接続ユニット６が貫通するための第２の貫通孔３２を有しており、該第２の貫通孔３２の２つの対向側に例えばリブである第１の位置決め部３２１が設けられている。
【００２４】
拡張ユニット４は、金属押出型、繊維強化プラスチック押出または共押出型材により一体成形化することが可能であり、底部に縦板３の幅に相当する凹溝４３が設けられ、縦板３の該棚板２（２ａ）に対応する箇所に跨設されている。該拡張ユニット４の表面には直列接続ユニット６が貫通するための第３の貫通孔４１が設けられ、該第３の貫通孔４１の２つの対向側に例えばリブである第３の位置決め部４１１が設けられており、該第３の位置決め部４１１の構造は、第１の位置決め部３２１と同様である。表面の両側寄りにそれぞれ例えばねじ孔である第１の結合部４２が設けられ、該縦板３の両側にそれぞれ跨設されている。
【００２５】
直列接続ユニット６は、金属押出型、繊維強化プラスチック押出または共押出型材により一体成形化することが可能であり、その外側には該第１の位置決め部３２１に対応する第２の位置決め部６１が設けられ、両端には例えばねじ孔である第３の結合部６３が設けられている。本実施形態において、該直列接続ユニット６は、例えば円形の柱状構造であり、外表面に等間隔をおいて例えば凹溝である第２の位置決め部６１が４つ設けられ、該直列接続ユニット６の第２の位置決め部６１が順次に該縦板３の第２の貫通孔３２の第１の位置決め部３２１、該拡張ユニット４の第３の貫通孔４１の第３の位置決め部４１１、および該棚板２（２ａ）の第１の貫通孔２１を貫通させた後、さらに例えばボルトである結合素子６５がブッシング６７と合せて両端にある第３の結合部６３に螺合されることにより、該直列接続ユニット６によって直列接続された棚板２、縦板３および拡張ユニット４のそれぞれが相互に緊密に挟持固定され位置決めされるようにする。
【００２６】
補強板５は、１つのフレームユニットを構成する４つの拡張ユニット４の間に設けられ、第１の結合部４２のそれぞれに相互に結合される第２の結合部５３を有している。この補強板５は、両側にエッジフレーム５１が結合され、該エッジフレーム５１の上、下両端にそれぞれ第二の結合部５３が設けられている。同時に、該補強板５は、組み立てられた組み立てラックの裏面のみならず、可動扉の使用状態を形成するように組み立てラックの正面にも取り付け可能である。
【００２７】
本実施形態に係わる単一フレームユニットが組み立てられる組み立てラックでは、２つの棚板２（２ａ）および２つの縦板３は、直列接続ユニット６により直列接続で固定され、組み立てラックの全体重量による荷重が棚板２（２ａ）、縦板３および直列接続ユニット６に均一に分布され、棚板２（２ａ）の縦板３に対する垂直度は、直列接続ユニット６と第１の貫通孔２１との組み合わせにより得られる。すなわち、例えばボルトである結合素子６５は、相対位置を限定する効果を提供する必要があるのみであり、組み立てラックの全体重量を負荷する必要はなく、ねじれ変形を引き起こす可能性のある曲げモーメントを負荷する必要もないため、その結合強度が極めてよく、かつ該結合素子６５および直列接続ユニット６の第３の結合部６３のそれぞれも変形脱落するおそれがない。
【００２８】
また、組み立てられた組み立てラックの構造強度を増強し、例えば重荷重に運用される場合にも安定性を保たせるために、拡張ユニット４を介して少なくとも１つの補強板５を、縦板３の裏面または正面に設けて結合させ、第２の結合部５３と第１の結合部４２との対応結合関係により、２つの縦板３の平行度、すなわち２つの縦板３の棚板２（２ａ）に対する垂直度を安定的に確保しているため、組み立てられた組み立てラックの構造強度および安定性をさらに向上させることができる。前記のように、拡張ユニット４の表面の両側寄りにあらかじめ設けられた第１の結合部４２は、補強板５の組み立てに用いられ、組み立てタイプに応じて補強板５を組み立てラックの背板または可動扉として使い分けることができるようになっている。
【００２９】
図３Ａに示すように、補強板５が組み立てラックの可動扉として組み立てられる場合、拡張ユニット４の表面にある第１の結合部４２は大ねじ孔であり、該補強板５の第２の結合部５３は、内径が略小さい小ねじ孔であり、底部に回転軸４４２を有するボルト４４との組み合わせにより、該ボルト４４のおねじ４４１により例えばねじ孔である第１の結合部４２に螺合された後、該回転軸４４２が例えばねじ孔である第２の結合部５３に対応軸接され、該回転軸４４２の外径が例えばねじ孔である第２の結合部５３に合致している。同時に、該補強板５は、一側にある第２の結合部５３とボルト４４との組み合わせのみにより、同側に設けられた拡張ユニット４の第１の結合部４２に回転可能な形で結合されているため、可動扉の取り付けタイプを形成している。
【００３０】
図３Ｂに示すように、該補強板５が組み立てラックの背板として組み立てられる場合、該拡張ユニット４の表面にある第１の結合部４２が、前記第２の結合部５３と同様に内径が異なる大ねじ孔と小ねじ孔とに区分され、すなわち該第１の結合部４２は大ねじ孔であり、該第２の結合部５３は内径の略小さい小ねじ孔であり、該第２の結合部５３に螺合可能のボルト４５と組み合せて使用しているため、該ボルト４５により相対的に大ねじ孔である第１の結合部４２を穿通して相対的に小ねじ孔である第２の結合部５３に螺合することができる。同時に、補強板５は、その両側にある第２の結合部５３に該ボルト４５が組み合わされて、両側に設けられた拡張ユニット４の第１の結合部４２に結合されることにより、背板の取り付け状態を形成している。
【００３１】
また、前記の拡張ユニット４は、直列接続ユニット６が貫通するための第３の貫通孔４１を例に説明したものである。該拡張ユニット４の長さおよび該第３の貫通孔４１の対応数量は、実際の拡張の必要に応じて変更することも可能である。図３Ｃに示すように、該拡張ユニット４ａの表面には間隔をおいて配列される第３の貫通孔４１が複数例えば２つ、又は３つないしそれ以上設けられており、該第３の貫通孔４１のそれぞれのピッチは縦板３の幅に応じて決められている。また、両側寄りに位置する例えばねじ孔である第１の結合部４２は、対称的に複数個配列されてもよく、補強板５の取り付け位置変更の自由度が与えられている。
【００３２】
組み立てられた組み立てラックの実用性を向上させるために、補強板５は、組み立てタイプに応じて上、下方開閉式の可動扉として形成されてもよい。図４に示すように、フレームユニットにおける同一側に構成され高さが同じである２つの隣接している拡張ユニット４には、さらに連結素子５９が組み込まれてもよい。該連結素子５９は、略Ｔ字形断面構造となっており、頭頂部に該第１の結合部４２のそれぞれに相互に結合可能で、ボルト４５により螺合可能な第２の結合部５９１が設けられ、底部には前記のボルト４４が螺合されるための横向きのロック孔５９３が設けられている。本実施形態において、補強板５の周辺にはエッジフレームが結合され、該エッジフレームの上、下両端にそれぞれ第２の結合部５３が形成されているほか、エッジフレームの外側の上端または下端よりにねじ孔５７が形成され、ボルト５９４との組み合わせによりＬタイプ隔離片５８の貫通孔５８１に結合され、該貫通孔５８１は、隔離片５８の一端に設けられ、隔離片５８の他端には嵌挿孔５８２が設けられている。該拡張ユニット４は、例えば間隔をおいて配列される３つの第１の結合部４２を有してもよく、２つの連結素子５９が拡張ユニット４の凹溝４３に設けられ且つそれに対応して螺合固定され、ボルト４４がロック孔５９３へ螺合されて嵌挿孔５８２に位置決めされることにより、補強板５が上方開閉式の可動扉の使用状態を形成し、Ｌタイプ隔離片５８により補強板５の回転軸心（嵌挿孔５８２）が連結素子５９の外部に設けられることにより、作動時の相互の干渉を回避することができるようになっている。
【００３３】
本発明に係る組み立てラックの組み立て素子アセンブリでは、前記の実施形態のように単一フレームユニットの組み立てラックを提供できるほか、実際の必要に応じて１つのフレームユニットを複数の仕切りに分けてもよい。
【００３４】
図５Ａに示すように、必要に応じたフレームユニットの高さ、幅および仕切り数を設定した後、適当な規格長、規格幅および数量の仕切り板２８（２８ａ）を選択または切取る。該仕切り板２８（２８ａ）のそれぞれには平行に配列される嵌合部２８１が複数設けられ、それらの仕切り板２８（２８ａ）は、その嵌合部２８１が相互に垂直に嵌合され、格子状の嵌合ラックとして組み合わされている。仕切り板２８、２８ａの異なる点は、仕切り板２８の両端にはあり溝状の係合溝２８２が設けられ、仕切り板２８ａの両端にそれぞれありほぞをなす係合部２８３およびあり溝状の係合溝２８２が設けられ、係合部２８３が係合溝２８２に係合されることにより、嵌合ラックが他の嵌合ラックと組み合わされ、異なるサイズに仕切られるフレームユニットに対応する。
【００３５】
図５Ｂは、３つの嵌合ラックの組み合わせを示す上面図である。端にある嵌合ラックは、仕切り板２８ａと仕切り板２８とが相互に嵌合されてなり、仕切り板２８ａは横向きであるが、仕切り板２８は縦向きである。該仕切り板２８ａは、係合溝２８２が設けられた一端が外へ向けられ、係合部２８３が設けられた一端が内へ向けられ、該仕切り板２８ａの嵌合部２８１が内へ向けられるようにすることで、仕切り板２８が内から外へ仕切り板２８ａに嵌合される。中間にある嵌合ラックは、仕切り板２８により相互に嵌合されてなり、係合溝２８２が端にある嵌合ラックの係合部２８３に横向きに組み込まれる。中間にある嵌合ラックは、その仕切り板２８の嵌合部２８１を有する一端が仕切り板２８ａと組み合わされ、組み合わされた後の嵌合ラックにおける仕切り板２８が押さえ込まれて脱落するおそれがない。更には、端にある嵌合ラックの外側に、同じく一端に係合部２８３を有するもう一つの嵌合ラックを接続して組み合わせることにより、連続的に拡張することが可能となっている。図５Ｃに示すように、各仕切り板２８は、対向する両側にサイドシール板２９に結合されるためのねじ孔２８０が設けられ、該サイドシール板２９は異なる組み立て構造である仕切り板２８に同時に結合可能であり、これにより組み立て構造間の組み立て強度が強化され仕切り板２８のエッジ部分の平滑性が保持され、嵌合ラックを単独で使用できるようになっている。ねじ孔２８０のそれぞれは、滑り止め部材２８８に結合可能であり、該滑り止め部材２８８は、弾力性を有する材質からなり、嵌合ラックがフレームユニットの仕切りとして用いられる場合、嵌合ラックの外縁とフレームユニットとの間隙を埋めることにより、その滑り止め作用によって嵌合ラックのぐらつきが回避され、嵌合ラックがフレームユニットに安定的に設けられるようになっている。
【００３６】
図５Ｄに示すように、上記の嵌合ラックは、そのサイズに対応するフレームユニットに組み込み、該フレームユニットを複数の仕切りに分けることができる。
【００３７】
組み立てラックの仕切り層に応用して幅拡張または照明の機能を得るために、棚板２は、組み立てタイプを採用してもよい。図６Ａおよび図６Ｂに示す棚板２ｃは、両側にカバー２１０が覆われられる第１の貫通孔２１が設けられ、底部へ開放され照明器具２４１を収容可能な凹部２４が少なくとも１つ設けられ、凹部２４の底縁には透明窓板２４３が挿設されるための嵌挿溝２４２が設けられている。
【００３８】
該棚板２ｃの一側に嵌挿溝２４２ａが設けられ、両側に挿入突起２４８１と挿入溝２４８２がそれぞれ設けられた横方向拡張部材２４８の拡張結合として用いられており、該横方向拡張部材２４８は、光透過可能のプラスチック材料からなり、凹部２４へ向けている内側表面が例えば三角形または菱形の反射面２４８３として形成され、該反射面２４８３により照明器具２４１からの光源が棚板２ｃの上、下へ向けて反射され、照明強度の向上や照明領域の増加ができる。当然ながら、該横方向拡張部材２４８の幅は図面に限定されるものではなく、照明器具２４１の取り付けを許容する幅に増加してもよく、挿入突起２４８１と挿入溝２４８２のみ有する横方向拡張部材２４８ａに取り替えてもよく、また、最外側に同様に挿入突起２４９１を有する側蓋体２４９が結合されてもよい。さらに、該横方向拡張部材２４８または側蓋体２４９の代わりに、係合溝２４８５を有する横方向拡張部材２４８ｂを用いてもよい。該係合溝２４８５はスライディングドア２４８７をスライド結合させるためのスライド軌道として用いられ、またこの係合溝２４８５は横方向拡張部材２４８ｂの両側に設けられ上、下ともにスライディングドア（図示せず）を結合させることもできる。棚板２ｃ、横方向拡張部材２４８、横方向拡張部材２４８ａ、横方向拡張部材２４８ｂおよび側蓋体２４９のそれぞれには、その両端にそれぞれサイドシール板２４６が結合されるように、ねじ孔２４４、２４４ａ、２４４ｂおよび２４９２が設けられている。ねじ２４６１との組み合わせで該サイドシール板２４６を結合することにより、該棚板２ｃ、横方向拡張部材２４８、横方向拡張部材２４８ａ、横方向拡張部材２４８ｂおよび側蓋体２４９の組み立て後の平滑性や組み立て強度の向上を図ることも可能となっている。
【００３９】
図６Ｃに示すように、棚板２ｃにおいて照明器具２４１の配線２４１１を位置決めするための横向きの貫通孔２６が設けられ、該棚板２ｃにおいて水平の対向する両側に配線２４１１が折れ曲がって他の棚板２ｃに接続されるための垂直連通の開口２７が設けられ、フレームユニットの美観が保持されるように２つの棚板２ｃの間において配線用モール２７１で配線２４１１を被覆してもよい。該配線用モール２７１の断面は該開口２７に設けられるように該開口２７に合わせてあり、サイドシール板２４６が棚板２に結合されるのに伴って固定される。また、棚板２ｃに照明器具２４１が組み込まれない場合、フレームユニットの平滑や美観が維持されるようにさらに開口２７に係合ブロック２５が設けられてもよい。
【００４０】
上記のように、本発明に係る組み立てラックの組み立て素子アセンブリによれば、フレームユニットの拡張接続または補強板の結合のために、拡張ユニットを縦板とそれに対応する棚板との間に跨設することにより、組み立てラックの自由に拡張や形態変更の機能を提供できる。また、直列接続ユニットの直列接続固定および補強板の結合運用により、組み立てラックの構造強度を向上することができる。したがって、本発明の組み立て素子の設計によれば、組み立てラックのサイズを必要に応じて続けて拡張することができ、組み立て形式および組み合わされたフレームユニットの数量を自由に変更することができるため、組み立てラックの自由拡張機能を向上させている。また、直列接続ユニットにより棚板と縦板を直列接続し固定しているため、結合素子は、組み立てラックの全体重量を負荷する必要はなく、ねじれ変形を引き起こす可能性のある曲げモーメントを負荷する必要もないため、その結合強度が極めてよく、かつそれらの結合素子および直列接続ユニットの結合部が変形脱落するおそれもない。
【００４１】
また、補強板の設計により、隣接している左、右の２つの縦板または上、下の２つの棚板を強固に固定することができ、それによって、組み立てられた組み立てラックの構造強度を向上し、各種の荷重タイプの応用に対応させることができる。したがって、本発明によれば、従来技術のような、拡張ができない、構造の強度が悪い、荷重タイプが限られる、組み立て形態が限られる、組み立て素子が再利用できない、外観には全体性がないといった欠点を解決することができる。
【００４２】
上記のように、本発明に係る組み立てラックの組み立て素子アセンブリによれば、従来技術のような種々の欠点を解決することができるとともに、前記の実施形態に述べたように実質的な効果の増進および産業利用価値の向上が図られるようになっている。
【００４３】
以上本発明の実施形態を説明したが、本発明は上記実施形態に限定されるものではなく、特許請求の範囲、及び明細書と図面に記載された技術的思想の範囲内において種種の変形が可能である。なお直接明細書及び図面に記載のない何れの形状や構造や材質であっても、本願発明の作用・効果を奏する以上、本願発明の技術的思想の範囲内に入るものである。
【図面の簡単な説明】
【００４４】
【図１】従来の組み立てラックの構造を模式的に示した立体図である。
【図２Ａ】本発明に係る組み立てラックの組み立て素子アセンブリの構造を模式的に示した分解図である。
【図２Ｂ】本発明に係る組み立て素子が適用されてなる組み立てラックの第１の実施形態を模式的に示した立体図である。
【図３Ａ】本発明に係る拡張ユニットと補強板の２種の組み立て構造を模式的に示した断面図である。
【図３Ｂ】本発明に係る拡張ユニットと補強板の２種の組み立て構造を模式的に示した断面図である。
【図３Ｃ】本発明に係る拡張ユニットの他の実施形態を模式的に示した図である。
【図４】本発明に係る棚板と縦板の補強板に上方開閉式の可動扉が形成される組み立て構造の実施形態を模式的に示した分解図である。
【図５Ａ】本発明に係るフレームユニットが複数の仕切りに仕切られる構造の実施形態を模式的に示した図である。
【図５Ｂ】本発明に係るフレームユニットが複数の仕切りに仕切られる構造の実施形態を模式的に示した図である。
【図５Ｃ】本発明に係るフレームユニットが複数の仕切りに仕切られる構造の実施形態を模式的に示した図である。
【図５Ｄ】本発明に係るフレームユニットが複数の仕切りに仕切られる構造の実施形態を模式的に示した図である。
【図６Ａ】本発明に係る棚板の構造の実施形態を模式的に示した図である。
【図６Ｂ】本発明に係る棚板の構造の実施形態を模式的に示した図である。
【図６Ｃ】本発明に係る棚板の構造の実施形態を模式的に示した図である。
【符号の説明】
【００４５】
１  組み立てラック
１１  棚板
１３  縦板
１３１  ねじ
１３３  嵌挿孔
１３５  棚受けダボ
１５  仕切り板
１７  固定バー
２、２ａ、２ｃ  棚板
２１  第１の貫通孔
２１０  カバー
２２  棚脚
２４  凹部
２４１  照明器具
２４１１  配線
２４２、２４２ａ  嵌挿溝
２４３  透明窓板
２４４、２４４ａ、２４４ｂ  ねじ孔
２４６  サイドシール板
２４６１  ねじ
２４８、２４８ａ、２４８ｂ  横方向拡張部材
２４８１  挿入突起
２４８２  挿入溝
２４８３  反射面
２４８５  係合溝
２４８７  スライディングドア
２４９  側蓋体
２４９１  挿入突起
２４９２  ねじ孔
２５  係合ブロック
２６  貫通孔
２８、２８ａ  仕切り板
２８０  ねじ孔
２８１  嵌合部
２８２  係合溝
２８３  係合部
２８８  滑り止め部材
２９  サイドシール板
３  縦板
３２  第２の貫通孔
３２１  第１の位置決め部
６  直列接続ユニット
６１  第２の位置決め部
６３  第３の結合部
６５  結合素子
６７  ブッシング
４、４ａ  拡張ユニット
４１  第３の貫通孔
４１１  第３の位置決め部
４２  第１の結合部
４３  凹溝
４４  ボルト
４４１  おねじ
４４２  回転軸
４５  ボルト
５  補強板
５１  エッジフレーム
５３  第２の結合部
５７  ねじ孔
５８  隔離片
５８１  貫通孔
５８２  嵌挿孔
５９  連結素子
５９１  第２の結合部
５９３  ロック孔
５９４  ボルト
【図１】
0004413894.tif 000002
【図２Ａ】
0004413894.tif 000003
【図２Ｂ】
0004413894.tif 000004
【図３Ａ】
0004413894.tif 000005
【図３Ｂ】
0004413894.tif 000006
【図３Ｃ】
0004413894.tif 000007
【図４】
0004413894.tif 000008
【図５Ａ】
0004413894.tif 000009
【図５Ｂ】
0004413894.tif 000010
【図５Ｃ】
0004413894.tif 000011
【図５Ｄ】
0004413894.tif 000012
【図６Ａ】
0004413894.tif 000013
【図６Ｂ】
0004413894.tif 000014
【図６Ｃ】
0004413894.tif 000015